(57)【要約】【課題】簡易な構成で、ウェブを特殊折りすることが可能なウェブの特殊折り装置、輪転印刷機およびウェブの特殊折り方法を提供する。【解決手段】走行する複数のウェブＷを重ね合わせ、重ね合わせた複数のウェブＷを走行方向下流側へ搬送可能なウェブパス装置１４と、ウェブパス装置１４の走行方向下流側に設けられ、重ね合わせた複数のウェブＷを、走行方向に亘って折り畳む三角板３４と、を備えた輪転印刷機１に組み込まれるウェブＷの特殊折り装置１６であって、重ね合わせられる複数のウェブＷのうち、少なくとも１のウェブＷを走行方向に亘って裁断可能な第２スリッタ４０と、第２スリッタ４０により裁断された裁断済ウェブＷと、裁断済ウェブＷに重ね合わせられる未裁断ウェブＷとの間に、走行方向に亘って糊付け可能な糊付け装置４１と、を備えた。【選択図】図２
2010241521.tif 000002
【特許請求の範囲】
【請求項１】
走行する複数のウェブを重ね合わせ、重ね合わせた前記複数のウェブを走行方向下流側へ搬送可能なウェブ搬送装置と、前記ウェブ搬送装置の走行方向下流側に設けられ、重ね合わせた複数のウェブを、走行方向に亘って折り畳む三角板と、を備えた輪転印刷機に組み込まれるウェブの特殊折り装置であって、
重ね合わせられる前記複数のウェブのうち、少なくとも１の前記ウェブを走行方向に亘って裁断可能なスリッタと、
前記スリッタにより裁断された裁断済ウェブと、前記裁断済ウェブに重ね合わせられる未裁断ウェブとの間に、走行方向に亘って糊付け可能な糊付け手段と、を備えたことを特徴とするウェブの特殊折り装置。
【請求項２】
前記スリッタおよび前記糊付け手段は、前記三角板の走行方向上流側に配設されていることを特徴とする請求項１に記載のウェブの特殊折り装置。
【請求項３】
前記スリッタは、走行する前記ウェブの幅方向中央部を中心に、前記ウェブを走行方向に亘って二分割に裁断することで、前記裁断済ウェブを一組の分割ウェブとして作成しており、
前記各分割ウェブは、その幅が前記未裁断ウェブの半分以下の幅となるように構成されることを特徴とする請求項１または２に記載のウェブの特殊折り装置。
【請求項４】
前記糊付け手段は、前記ウェブの幅方向両外側に糊付け可能に構成されていることを特徴とする請求項１ないし３のいずれか１項に記載のウェブの特殊折り装置。
【請求項５】
前記スリッタは、前記複数のウェブに対応して複数設けられており、前記複数のスリッタは、前記複数のウェブのうち、任意の前記ウェブを裁断可能に構成されていることを特徴とする請求項１ないし４のいずれか１項に記載のウェブの特殊折り装置。
【請求項６】
前記スリッタおよび前記糊付け手段は、前記ウェブ搬送装置に設けられ、前記糊付け手段は、前記スリッタの走行方向下流側に設けられており、
前記スリッタと前記糊付け手段との間に設けられ、前記裁断済ウェブに転接可能な逆クラウンローラをさらに備えたことを特徴とする請求項１ないし５のいずれか１項に記載のウェブの特殊折り装置。
【請求項７】
前記スリッタから前記糊付け手段に至るウェブ搬送経路は、前記ウェブが前記逆クラウンローラを回避する第１分岐搬送経路と、前記ウェブが前記逆クラウンローラに転接する第２分岐搬送経路と、を有しており、
前記スリッタは、前記第１分岐搬送経路を走行する前記ウェブに対し、裁断を禁止して前記未裁断ウェブとする一方、前記第２分岐搬送経路を走行する前記ウェブに対し、裁断を実行して前記断裁済ウェブとすることを特徴とする請求項６に記載のウェブの特殊折り装置。
【請求項８】
前記糊付け手段は、前記ウェブの幅方向において、前記糊付け手段による糊付け位置を変更可能に構成されていることを特徴とする請求項１ないし７のいずれか１項に記載のウェブの特殊折り装置。
【請求項９】
前記スリッタは、前記ウェブの幅方向において、前記スリッタによる裁断位置を変更可能に構成されていることを特徴とする請求項１ないし８のいずれか１項に記載のウェブの特殊折り装置。
【請求項１０】
前記ウェブ搬送装置は、搬送する前記ウェブの幅方向における搬送位置を変更可能に構成されていることを特徴とする請求項１ないし９のいずれか１項に記載のウェブの特殊折り装置。
【請求項１１】
前記輪転印刷機は、前記ウェブ搬送装置と前記三角板との間に設けられ、前記ウェブ搬送装置により重ね合わせられた複数のウェブを挟持可能な一対の挟持ローラをさらに備え、
前記糊付け手段は、前記一対の挟持ローラの走行方向上流側に配設されていることを特徴とする請求項１ないし１０のいずれか１項に記載のウェブの特殊折り装置。
【請求項１２】
請求項１ないし１１のいずれか１項に記載のウェブの特殊折り装置と、
前記複数のウェブに印刷を行う印刷装置と、
印刷した前記複数のウェブを搬送しながら重ね合わせる前記ウェブ搬送装置と、
重ね合わせた前記複数のウェブを折り畳むと共に、前記複数のウェブを裁断して折帖を作成する折機と、を備えたことを特徴とする輪転印刷機。
【請求項１３】
走行するウェブに印刷を行うと共に、印刷したウェブを裁断して折帖を作成可能な輪転印刷機によるウェブの特殊折り方法であって、
走行する幅広ウェブと、前記幅広ウェブの半分以下の幅となる幅狭ウェブとを重ね合わせる重ね合わせ工程と、
前記重ね合わせ行程に先立ち、前記幅広ウェブと前記幅狭ウェブとの間に、走行方向に亘って糊付けする糊付け工程と、
糊付けして重ね合わせた前記幅広ウェブおよび前記幅狭ウェブを、走行方向に亘って折り畳む折り畳み工程と、を備えたことを特徴とするウェブの特殊折り方法。
【発明の詳細な説明】
【技術分野】
【０００１】
本発明は、走行するウェブに印刷を行うと共に、印刷したウェブを裁断して折帖を作成可能な輪転印刷機に組み込まれるウェブの特殊折り装置、これを備えた輪転印刷機およびウェブの特殊折り方法に関するものである。
【背景技術】
【０００２】
従来、輪転印刷機では、印刷した複数のウェブを重ね合わせて折り畳むことで、例えば、新聞等の折帖を作成することが可能となっている。通常、新聞等の折帖は、見開き２頁分の幅となっているが、例えば、特許文献１に示す新聞紙製造装置では、見開き４頁分の幅となる折帖を作成可能に構成されている。
【０００３】
具体的に、従来の新聞紙製造装置には、４頁幅のウェブを折り畳む紙面折り畳み装置が組み込まれており、紙面折り畳み装置は、４頁幅のウェブの外側１／４を内側にそれぞれ折り込むことで、２頁幅となった折り込み紙面を形成する。そして、２頁幅となった折り込み紙面は、下流側に配置された三角板により、折り込み紙面の中央を縦に二つ折りにされる。
【０００４】
また、このような折り込み紙面を作成する方法として、例えば、特許文献２に示す冊子状印刷物の製造方法が知られている。具体的に、この製造方法は、２台の輪転印刷機によりそれぞれのウェブに印刷を行う工程と、印刷した一方のウェブに接着剤を塗布する工程と、接着剤が塗布された一方のウェブに、他方のウェブを重ね合わせて接着する工程と、接着した一方のウェブの幅方向中央において流れ方向に切り目を形成する工程と、接着した２枚のウェブを切り目に沿って折る工程と、を備えている。この製造方法によれば、観音開きにより大きく開くことができる冊子状印刷物を作成することができる。
【０００５】
さらに、上記の折り込み紙面を作成する装置として、例えば、特許文献３に示す輪転印刷機が知られている。具体的に、この輪転印刷機には、並列２基のフォーマ（三角板）が設けられており、輪転印刷機は、各三角板により折り返された２つのウェブを、端辺において糊付けすることで、折加工された折帖を作成することができる。
【先行技術文献】
【特許文献】
【０００６】
【特許文献１】特許第３３８３２３９号公報
【特許文献２】特許第３６５６８４７号公報
【特許文献３】実開昭５６−９４３７４号公報
【発明の概要】
【発明が解決しようとする課題】
【０００７】
しかしながら、特許文献１に示す新聞紙製造装置では、紙面折り畳み装置をウェブパス部に配設しなければならず、ウェブパス部へ加わる荷重が大きくなる。これにより、ウェブパス部の剛体が不足している場合は、ウェブパス部の剛体を上げる必要があるため、ウェブパス部における紙面折り畳み装置の改造コストが増大すると考えられる。また、新聞紙製造装置に紙面折り畳み装置を組み込む分、新聞紙製造装置の高さ方向または奥行き方向における寸法が長くなってしまうため、新聞紙製造装置を設置する建屋の高さまたは奥行きも長くする必要がある。
【０００８】
また、特許文献２に示す冊子状印刷物の製造方法によれば、２枚のウェブを重ね合わせた後、一方のウェブに切り目を形成する構成となっているが、切り目を形成する際、ウェブを２枚同時に裁断してしまう虞がある。さらに、冊子状印刷物を作成するには、２台の輪転印刷機を用いなければならないため、装置コストが増大する。なお、特許文献２では、重ね合わせて接着した２枚のウェブのうち、一方のウェブに切り目を形成するための構成が開示されておらず、また、２枚のウェブの重ね合わせるための装置構成から接着剤塗布するための装置構成もなんら開示されていない。
【０００９】
さらに、特許文献３に示す輪転印刷機によれば、２つの三角板を用いて、折り返された２つのウェブを合流させなければならず、輪転印刷機の装置構成が複雑になると共に、輪転印刷機の装置コストが増大すると考えられる。
【００１０】
そこで、本発明は、簡易な構成で、ウェブを特殊折りすることが可能なウェブの特殊折り装置、輪転印刷機およびウェブの特殊折り方法を提供することを課題とする。
【課題を解決するための手段】
【００１１】
本発明のウェブの特殊折り装置は、走行する複数のウェブを重ね合わせ、重ね合わせた複数のウェブを走行方向下流側へ搬送可能なウェブ搬送装置と、ウェブ搬送装置の走行方向下流側に設けられ、重ね合わせた複数のウェブを、走行方向に亘って折り畳む三角板と、を備えた輪転印刷機に組み込まれるウェブの特殊折り装置であって、重ね合わせられる複数のウェブのうち、少なくとも１のウェブを走行方向に亘って裁断可能なスリッタと、スリッタにより裁断された裁断済ウェブと、裁断済ウェブに重ね合わせられる未裁断ウェブとの間に、走行方向に亘って糊付け可能な糊付け手段と、を備えたことを特徴とする。
【００１２】
この構成によれば、スリッタによりウェブを裁断し、糊付けを行って、裁断済ウェブと未裁断ウェブとを重ね合わせ、この後、三角板により重ね合わせた裁断済ウェブおよび未裁断ウェブを折り畳むことにより、ウェブを特殊折りすることができる。これにより、従来の輪転印刷機に備えられた三角板に、スリッタおよび糊付け手段の構成を新たに加えることで、ウェブを特殊折りすることができるため、輪転印刷機に組み込まれるウェブの特殊折り装置を、簡易な構成とすることができる。
【００１３】
この場合、スリッタおよび糊付け手段は、三角板の走行方向上流側に配設されていることが、好ましい。
【００１４】
この構成によれば、三角板により重ね合わせられた複数のウェブが走行方向に亘って折り畳まれる前に、スリッタによりウェブを走行方向に亘って裁断することができ、また、糊付け手段により裁断済ウェブと未裁断ウェブとの間に走行方向に亘って糊付けすることができる。これにより、走行する安定した状態のウェブに対し、裁断および糊付けを行うことができるため、精度よく裁断および糊付けを行うことができる。
【００１５】
この場合、スリッタは、走行するウェブの幅方向中央部を中心に、ウェブを走行方向に亘って二分割に裁断することで、裁断済ウェブを一組の分割ウェブとして作成しており、各分割ウェブは、その幅が未裁断ウェブの半分以下の幅となるように構成されることが、好ましい。
【００１６】
この構成によれば、未裁断ウェブの幅に対し、各分割ウェブの幅を半分以下とすることができる。このため、未裁断ウェブの片面内に各分割ウェブを収めて配置することができる。
【００１７】
この場合、糊付け手段は、ウェブの幅方向両外側に糊付け可能に構成されていることが、好ましい。
【００１８】
この構成によれば、例えば、ウェブの特殊折の一形態である観音折りを行うことが可能となる。なお、観音折りとは、未断裁ウェブに糊付けされた裁断済ウェブに形成された裁断線を中心に谷折りする折り方である。
【００１９】
この場合、スリッタは、複数のウェブに対応して複数設けられており、複数のスリッタは、複数のウェブのうち、任意のウェブを裁断可能に構成されていることが、好ましい。
【００２０】
この構成によれば、複数のウェブのうち、任意のウェブを裁断し、特殊折りされるウェブの一部として用いることができる。これにより、特殊折りされた単体のウェブだけでなく、特殊折りされたウェブを含むウェブ群を作成することができる。これにより、輪転印刷機において作成される折帖の任意の頁を特殊折の頁とすることができる。
【００２１】
この場合、スリッタおよび糊付け手段は、ウェブ搬送装置に設けられ、糊付け手段は、スリッタの走行方向下流側に設けられており、スリッタと糊付け手段との間に設けられ、裁断済ウェブに転接可能な逆クラウンローラをさらに備えたことが、好ましい。
【００２２】
この構成によれば、逆クラウンローラに裁断済ウェブを転接させることで、裁断済ウェブの裁断面をそれぞれ引き離すことができるため、裁断済ウェブの裁断面同士が擦りあうことによる端折れや紙切れ等を発生させることなく、断裁済ウェブを好適に走行させることができる。
【００２３】
この場合、スリッタから糊付け手段に至るウェブ搬送経路は、ウェブが逆クラウンローラを回避する第１分岐搬送経路と、ウェブが逆クラウンローラに転接する第２分岐搬送経路と、を有しており、スリッタは、第１分岐搬送経路を走行するウェブに対し、裁断を禁止して未裁断ウェブとする一方、第２分岐搬送経路を走行するウェブに対し、裁断を実行して断裁済ウェブとすることが、好ましい。
【００２４】
この構成によれば、裁断しないウェブを第１分岐搬送経路に紙通しし、裁断するウェブを第２分岐搬送経路に紙通しすることで、未断裁ウェブを逆クラウンローラに転接することがない一方、断裁済ウェブを逆クラウンローラに転接することができる。
【００２５】
この場合、糊付け手段は、ウェブの幅方向において、糊付け手段による糊付け位置を変更可能に構成されていることが、好ましい。
【００２６】
この構成によれば、糊付け手段は、幅方向における所望の位置において、ウェブに糊付けすることができるため、ウェブの特殊折りの形態を増やすことができる。
【００２７】
この場合、スリッタは、ウェブの幅方向において、スリッタによる裁断位置を変更可能に構成されていることが、好ましい。
【００２８】
この構成によれば、スリッタは、幅方向における所望の位置において、ウェブを裁断することができるため、ウェブの特殊折りの形態を増やすことができる。
【００２９】
この場合、ウェブ搬送装置は、搬送する前記ウェブの幅方向における搬送位置を変更可能に構成されていることが、好ましい。
【００３０】
この構成によれば、ウェブ搬送装置は、幅方向における所望の搬送位置において、ウェブを搬送することができるため、ウェブの特殊折りの形態を増やすことができる。
【００３１】
この場合、輪転印刷機は、ウェブ搬送装置と三角板との間に設けられ、ウェブ搬送装置により重ね合わせられた複数のウェブを挟持可能な一対の挟持ローラをさらに備え、糊付け手段は、一対の挟持ローラの走行方向上流側に配設されていることが、好ましい。
【００３２】
この構成によれば、輪転印刷機に備えられた既存の一対の挟持ローラを用いて、糊付けし重ね合わせた裁断済ウェブと未裁断ウェブとを挟持することができる。
【００３３】
本発明の輪転印刷機は、上記のウェブの特殊折り装置と、複数のウェブに印刷を行う印刷装置と、印刷した複数のウェブを搬送しながら重ね合わせるウェブ搬送装置と、重ね合わせた複数のウェブを折り畳むと共に、複数のウェブを裁断して折帖を作成する折機と、を備えたことを特徴とする。
【００３４】
この構成によれば、作成される折帖を特殊折りとした折帖とすることができると共に、作成される折帖の任意の頁を特殊折りの頁とすることができる。
【００３５】
本発明のウェブの特殊折り方法は、走行するウェブに印刷を行うと共に、印刷したウェブを裁断して折帖を作成可能な輪転印刷機によるウェブの特殊折り方法であって、走行する幅広ウェブと、幅広ウェブの半分以下の幅となる幅狭ウェブとを重ね合わせる重ね合わせ工程と、重ね合わせ行程に先立ち、幅広ウェブと幅狭ウェブとの間に、走行方向に亘って糊付けする糊付け工程と、糊付けして重ね合わせた幅広ウェブおよび幅狭ウェブを、走行方向に亘って折り畳む折り畳み工程と、を備えたことを特徴とする。
【００３６】
この構成によれば、幅広ウェブと幅狭ウェブとの間に糊付けを行って、裁断済ウェブと未裁断ウェブとを重ね合わせ、この後、重ね合わせた裁断済ウェブおよび未裁断ウェブを折り畳むことにより、ウェブの特殊折りすることができる。
【発明の効果】
【００３７】
本発明のウェブの特殊折り装置、輪転印刷機およびウェブの特殊折り方法によれば、簡易な構成により、ウェブに対し特殊折りを行うことができる。
【図面の簡単な説明】
【００３８】
【図１】図１は、本実施例に係る特殊折り装置を組み込んだ輪転印刷機を模式的に表した概略構成図である。
【図２】図２は、ウェブパス装置の下流側から折機の上流側へ至るウェブの搬送経路周りの構成を表した模式図である。
【図３】図３は、ウェブパス装置の下流側から折機の上流側へ至るウェブの搬送経路周りの構成を表した外観斜視図である。
【図４】図４は、特殊折りされた各種形態のウェブの説明図である。
【発明を実施するための形態】
【００３９】
以下、添付した図面を参照して、本発明に係る特殊折り装置を組み込んだ輪転印刷機およびこの輪転印刷機によるウェブの特殊折り方法について説明する。なお、以下の実施例によりこの発明が限定されるものではない。また、下記実施例における構成要素には、当業者が置換可能かつ容易なもの、或いは実質的に同一のものが含まれる。
【実施例】
【００４０】
図１に示すように、本実施例における輪転印刷機１は、いわゆる新聞用オフセット輪転印刷機であり、複数のウェブから折帖となる新聞を作成するものである。輪転印刷機１は、ウェブＷの搬送方向の上流側から、複数（図示では４台）の給紙装置１１と、複数（図示では４台）のインフィード装置１２と、複数（図示では４台）の印刷装置１３ａ，１３ｂと、ウェブパス装置１４（ウェブ搬送装置）と、折機１５とから構成されている。
【００４１】
各給紙装置１１には、それぞれウェブＷがロール状に巻かれた３つの巻取紙Ｒを保持する保持アーム２０が設けられ、この保持アーム２０を回動させることで、巻取紙Ｒを給紙位置に臨ませることができる。また、この各給紙装置１１には、図示しない紙継装置が設けられており、給紙位置で繰り出されている巻取紙Ｒが残り少なくなると、この紙継装置により給紙位置にある巻取紙Ｒに対して、待機位置にある巻取紙Ｒを紙継することができる。
【００４２】
ここで、使用される巻取紙Ｒは、紙幅に応じて複数種用意されており、例えば、ウェブの幅方向が新聞（折帖）の４頁幅分となるＡ幅の巻取紙Ｒ、新聞の３頁幅分と成るＣ幅の巻取紙Ｒ、新聞の２頁幅分と成るＤ幅の巻取紙Ｒや、新聞の１頁幅分と成るＦ幅の巻取紙Ｒ等がある。なお、以下の説明では、Ａ幅の巻取紙Ｒを用いた場合について説明する。
【００４３】
各インフィード装置１２は、各ウェブＷを下流側の各印刷装置１３ａ，１３ｂへ向けて送り出すと共に、各ウェブＷのテンションを調整するものである。具体的に、インフィード装置１２は、ウェブＷの搬送方向の上流側から、図示しない駆動モータにより回転駆動するインフィードローラ２４を有している。そして、インフィードローラ２４は、回転することによりウェブＷを下流側の印刷装置１３ａ，１３ｂへ向けて搬送すると共に、その周速を可変させることで、ウェブＷのテンションを変更することが可能となっている。
【００４４】
複数の印刷装置１３ａ，１３ｂは、両面４色印刷を行う多色刷印刷装置１３ａと、両面２色印刷を行う２色刷印刷装置１３ｂとが設けられている。この多色刷印刷装置１３ａおよび２色刷印刷装置１３ｂは、各給紙装置１１から供給されたウェブＷに対して所定の印刷を行うことができる。なお、本実施例では、印刷装置１３ａ，１３ｂを、多色刷印刷装置１３ａと２色刷印刷装置１３ｂとにより構成したが、この構成に限定されるものではない。例えば、両面単色印刷を行う両面単色刷装置、一面４色または２色印刷を行う多色刷印刷装置など印刷物に応じて適宜各種印刷装置を組み合わせて使用すればよい。
【００４５】
ウェブパス装置１４は、ウェブＷの搬送方向に沿ってウェブＷの幅方向の中央部で裁断する複数の第１スリッタ２５、裁断したウェブＷの搬送経路を設定するための多数のガイドローラやターンバー２６、搬送方向におけるウェブＷの位置ズレを修正するためのコンペンセータローラ２７等が設けられている。従って、ウェブパス装置１４では、印刷装置１３ａ，１３ｂで印刷が施されたＡ幅の各ウェブＷを第１スリッタ２５により裁断してＤ幅のウェブＷとすると共に、Ｄ幅の各ウェブＷをターンバー２６により搬送経路を変更し、所定の順番に重ね合わせる。なお、詳細は後述するが、このウェブパス装置１４に本発明の特徴部分である特殊折り装置１６が組み込まれている。また、ウェブパス装置１４は、搬送するウェブＷの幅方向における搬送位置を変更することが可能な構成となっている。
【００４６】
折機１５は、ウェブパス装置１４から送り出された複数のウェブＷを挟持して搬送する第１折上ドラグローラ３６（駆動ローラ）および第１紙押さえローラ３２と、一対のローラ３２，３６から送り出された複数のウェブＷを挟持して搬送する第２折上ドラグローラ３７（駆動ローラ）および第２紙押さえローラ３３と、一対の各ローラ３３，３７から送り出された複数のウェブＷを縦折りする三角板３４と、所定の長さで横裁断した後、更に横折りして所望の折帖を形成する図示しない折り装置を有している。具体的に、三角板３４は、重ね合わせた複数のウェブＷを、ウェブＷの幅方向中央部を中心に、搬送方向に亘って折り畳んでいる。
【００４７】
ここで、輪転印刷機１による一連の印刷動作について説明する。先ず、各給紙装置１１から各インフィード装置１２を介して各印刷装置１３ａ，１３ｂに、Ａ幅のウェブＷが供給されると、各印刷装置１３ａ，１３ｂでは、各ウェブＷに対して４色刷や２色刷が両面に行われる。次に、各印刷装置１３ａ，１３ｂで印刷が施された複数のウェブＷは、ウェブパス装置１４において、第１スリッタ２５によりＤ幅に縦裁断されると共に、走行ルートが変更され、それぞれ所定の順番に重ね合わせられる。そして、ウェブパス装置１４により重ね合わされた複数のウェブＷが折機１５に導入されると、重ね合わされたＤ幅の複数のウェブＷは、縦折りされた後、所定の長さで横裁断され、横折りされて所望の折帖が作成され、この後、この折帖は排出される。
【００４８】
ところで、折帖の付加価値を高めるべく、本実施例の輪転印刷機１は、折帖の任意の頁を特殊折りの頁とすることが可能となっている。ここで、図２および図３を参照して、本実施例に係る輪転印刷機１の発明部分である特殊折り装置１６について説明する。なお、図２は、図１のウェブパス装置１４の構成の一部を簡略的に表した模式図となっている。
【００４９】
輪転印刷機１のウェブパス装置１４には、コンペンセータローラ２７の下流側に第１ガイドローラ３０が設けられ、第１ガイドローラ３０の下流側に第２ガイドローラ３１が設けられている。そして、第２ガイドローラ３１の下流側には、上記したように、折機１５の第１紙押さえローラ３２および第１折上ドラグローラ３６が設けられ、一対の各ローラ３２，３６の下流側には、第２紙押さえローラ３３および第２折上ドラグローラ３７が設けられている。そして、一対の各ローラ３３，３７の下流側には三角板３４が配設されている。
【００５０】
従って、コンペンセータローラ２７を通過した各ウェブＷは、第１ガイドローラ３０および第２ガイドローラ３１に案内されて、第２ガイドローラ３１の下流側において重ね合わせられる。そして、重ね合わされた複数のウェブＷは、第１紙押さえローラ３２および第１折上ドラグローラ３６により挟持され、この後、第２紙押さえローラ３３および第２折上ドラグローラ３７に挟持されて、三角板３４に導入される。
【００５１】
このとき、上記のウェブパス装置１４には、特殊折り装置１６が組み込まれており、特殊折り装置１６は、各第１ガイドローラ３０に対向する複数の第２スリッタ４０（請求項に記載のスリッタ）と、各第２ガイドローラ３１に対向する複数の糊付け装置４１（糊付け手段）と、各第１ガイドローラ３０と各第２ガイドローラ３１との間に設けられた複数の逆クラウンローラ４２と、を備えている。
【００５２】
各第２スリッタ４０は、ウェブＷの幅方向に移動可能に配設され、所望の裁断位置において、各ウェブＷを搬送方向に亘って裁断することができる。具体的に、第１スリッタ２５において裁断されたＤ幅の各ウェブＷが第２スリッタ４０に導入される場合、Ｄ幅の各ウェブＷは、第２スリッタ４０によりウェブＷの幅方向中央部を中心に、搬送方向に亘って裁断されることにより、一対のＦ幅のウェブＷ（分割ウェブ、幅狭ウェブ）で構成された断裁済ウェブＷが作成される。また、各第２スリッタ４０は、第１ガイドローラ３０に対し離接可能に構成されており、複数の第２スリッタ４０のうち、任意の第２スリッタ４０を第１ガイドローラ３０に接触させることで、各ウェブＷを裁断可能にしている。
【００５３】
糊付け装置４１は、各第２ガイドローラ３１に対向するように配設された一対の糊付けローラ４５と、一対の糊付けローラ４５に糊を吐出するグルーガン４６と、を有している。一対の糊付けローラ４５は、ウェブＷの幅方向に移動可能に構成され、所望の糊付け位置において、各ウェブＷに対し、搬送方向に亘って糊付けすることができる。具体的に、一対の糊付けローラ４５は、ウェブＷの幅方向両外側が糊付け位置となっており、ウェブＷの幅方向両外側に糊付けを行うことができる。また、各糊付けローラ４５は、第２ガイドローラ３１に対し離接可能に構成されており、複数の糊付けローラ４５のうち、任意の糊付けローラ４５を第２ガイドローラ３１に接触させて糊付けを行っている。
【００５４】
各糊付けローラ４５の近傍に設けられたグルーガン４６は、各糊付けローラ４５に対し糊を吐出して、糊付けローラ４５に糊を付着させている。なお、折帖の外側に位置するウェブＷには、糊付けを行う必要がないため、折帖の外側に位置するウェブＷが通過する第２ガイドローラ３１には、糊付けローラ４５およびグルーガン４６は配設されていない。
【００５５】
これにより、例えば、第２スリッタ４０により裁断された断裁済ウェブＷが一対の糊付けローラ４５に導入された場合、一対の糊付けローラ４５は、断裁済ウェブＷの幅方向両外側に、すなわち、一対のＦ幅のウェブＷのうち、一方のウェブＷの幅方向における外側端部および他方のウェブＷの幅方向における外側端部に、それぞれ糊付けを行う。一方、裁断されない未裁断ウェブＷ（幅広ウェブ）が糊付けローラ４５に導入された場合、一対の糊付けローラ４５は、未裁断ウェブＷの幅方向両側に、それぞれ糊付けを行う。
【００５６】
各第１ガイドローラ３０と各第２ガイドローラ３１との間には、逆クラウンローラ４２がそれぞれ配設されており、各逆クラウンローラ４２は、その両外側から軸中央に向かって細径となるように形成されている。そして、逆クラウンローラ４２は、第２スリッタ４０により裁断された裁断済ウェブＷに転接するように配設される一方、第２スリッタ４０により裁断されない未裁断ウェブＷに対し離間するように配設される。つまり、第１ガイドローラ３０と第２ガイドローラ３１との間におけるウェブＷの搬送経路は、逆クラウンローラ４２に転接しない非裁断搬送経路Ｌ１（第１分岐搬送経路）と、逆クラウンローラ４２に転接する裁断搬送経路Ｌ２（第２分岐搬送経路）と、に分岐している。これにより、第２スリッタ４０により裁断された裁断済ウェブＷ、すなわち、一対のＦ幅の分割ウェブＷは、逆クラウンローラ４２を通過すると、幅方向外側に引き離される。このため、一対の分割ウェブＷは、その裁断面同士を接触させることなく搬送されることとなり、接触による端折れや紙切れ等を発生させることなく、好適に搬送することができる。
【００５７】
上記のような構成によれば、例えば、ウェブＷに対し、図４に示す特殊折りを施すことが可能となる。ここで、図４のＡに示すように、特殊折りとしては、例えば、観音折等がある。ここで、観音折りされた折帖とは、ウェブＷの幅方向において外側両端部に糊付けを行ったＤ幅の未裁断ウェブＷと、裁断済ウェブＷとなる一対のＦ幅のウェブＷとを重ね合わせ、重ね合わせたウェブＷの幅方向中央部を中心に、裁断済ウェブＷが内側となるように搬送方向に亘って折り畳んだものである。このとき、ウェブＷの幅方向外側両端部には糊代５０が形成されることとなる。
【００５８】
また、異なる特殊折りとして、図４のＢに示す折帖とは、ウェブＷの幅方向において外側両端部に糊付けを行ったＤ幅の未裁断ウェブＷと、裁断済ウェブＷとなる一対のＦ幅のウェブＷとを重ね合わせ、重ね合わせたウェブＷの幅方向中央部を中心に、裁断済ウェブＷが外側となるように搬送方向に亘って折り畳んだものである。
【００５９】
以上のように、観音折り等に限らず、図４のＣないしＦに示すように、使用する巻取紙Ｒの種類、ウェブＷの重ね合わせ方およびウェブＷの折り畳み方によって、ウェブＷに対し、様々な特殊折りを施すことが可能となる。例えば、Ｄ幅のウェブＷに表面に対し、Ｆ幅のウェブＷを一方の片側に寄せて配置すると共に、Ｄ幅のウェブＷに裏面に対し、Ｆ幅のウェブＷを他方の片側に寄せて配置し、ウェブＷの幅方向の外側両端部において糊付けを行うことで、図４のＣおよびＤに示す特殊折の折帖を作成することができる。また、例えば、Ｄ幅のウェブＷの表裏一方の片面に対し、Ｆ幅のウェブＷを一方の片側に寄せて配置し、Ｄ幅のウェブＷの幅方向の外側片端部において糊付けを行うことで、図４のＥおよびＦに示す特殊折の折帖を作成することができる。
【００６０】
ここで、例えば、図４のＡに示す観音折りを行ったウェブＷを折帖の最内側の頁として折り込む一連の動作について説明する。先ず、各コンペンセータローラ２７から送られてきた並走する複数のウェブＷが、各第１ガイドローラ３０および各第２スリッタ４０にそれぞれ導入されると、複数のウェブＷのうち、最内側（図示最下側）に位置するウェブＷが第２スリッタ４０により裁断されて裁断済ウェブＷとして第２ガイドローラ３１へ向けて搬送される。一方、他のウェブＷが第２スリッタ４０により裁断されずに未裁断ウェブＷとして第２ガイドローラ３１へ向けてそれぞれ搬送される。
【００６１】
このとき、裁断済ウェブＷは、裁断搬送経路Ｌ２を通り、逆クラウンローラ４２に転接するため、一対のＦ幅のウェブＷは引き離されて搬送されながら、第２ガイドローラ３１へ導入される。一方、未裁断ウェブＷは、非裁断搬送経路Ｌ１を通り、第２ガイドローラ３１へ導入される。この後、裁断済ウェブＷは、一対の糊付けローラ４５により、その上面の外側両端部が糊付けされる（糊付け工程）。そして、糊付けされた断裁済ウェブＷは、第１紙押さえローラ３２および第１折上ドラグローラ３６により、上方に位置する未断裁ウェブＷと重ね合わせられると共に挟み込まれる（重ね合わせ工程）。そして、重ね合わせられた複数のウェブＷは、第２紙押さえローラ３３および第２折上ドラグローラ３７を介して三角板３４に導入されることで、ウェブＷの幅方向中央部を中心に搬送方向に亘って縦折りされる（折り畳み工程）。この後、図示しない折り装置により、ウェブＷが裁断されることで最内側の頁が特殊折となった折帖を作成することができる。
【００６２】
なお、印刷運転の事前準備作業となるウェブＷの紙通し作業時において、第２スリッタ４０により裁断されるウェブＷは、裁断搬送経路Ｌ２を通過するように紙通しが行われる。一方で、第２スリッタ４０により裁断されないウェブＷは、非裁断搬送経路Ｌ１を通過するように紙通しが行われる。また、印刷装置１３ａ，１３ｂは、例えば、観音折りとなる頁に対し見開き４頁に亘って印刷を行う場合、特殊折りされるウェブＷに形成される糊代５０を考慮して、ウェブＷに印刷を行っている。すなわち、印刷装置１３ａ，１３ｂは、ウェブＷの印刷面に対し糊代５０となる部分を避けて印刷を行うと共に、糊付けされる裁断済ウェブＷと未裁断ウェブＷとの絵柄ピッチを合わせて印刷を行う。
【００６３】
以上の構成によれば、複数のウェブＷのうち、任意のウェブＷを第２スリッタ４０により裁断し、一対の糊付けローラ４５によりウェブＷに糊付けを行って、裁断済ウェブＷと未裁断ウェブＷとを重ね合わせ、この後、三角板３４により重ね合わせた裁断済ウェブＷおよび未裁断ウェブＷを折り畳むことにより、ウェブＷの特殊折りを作成することができる。そして、特殊折りしたウェブＷを図示しない折り装置により裁断することで、特殊折りの折帖を作成することができる。また、本実施例の輪転印刷機１は、従来の構成に、複数の第２スリッタ４０、複数の糊付け装置４１および複数の逆クラウンローラ４２という簡易な構成を加えることで、ウェブＷの特殊折を作成することができる。
【００６４】
なお、本実施例では、輪転印刷機１のウェブパス装置１４において、並走する複数のウェブＷ毎に複数の第２スリッタ４０および複数の糊付け装置４１をそれぞれ設けたが、少なくとも１の第２スリッタ４０および１の糊付け装置４１を任意の箇所に配設すれば、特殊折りの折帖を作成することができる。
【００６５】
また、この構成によれば、１台の印刷装置１３ａ，１３ｂを使用するだけで、特殊折の折帖を作成することができる。具体的には、先ず、搬送されるＡ幅のウェブＷに印刷装置１３ａ，１３ｂにより印刷を行った後、ウェブパス装置１４の第１スリッタ２５により印刷されたウェブＷを、２つのＤ幅のウェブＷに形成する。この後、２つのＤ幅のウェブＷのうち、第２スリッタ４０により一方のＤ幅のウェブＷを裁断済ウェブＷとし、他方のＤ幅のウェブＷを未裁断ウェブＷとする。そして、糊付け装置４１により裁断済ウェブＷと未裁断ウェブＷとの間に糊付けを行い、これらを重ね合わせた後、折機１５により重ね合わせたウェブＷを折り畳んで裁断することで、特殊折りされた折帖を作成することができる。
【００６６】
さらに、各第２スリッタ４０の幅方向における裁断位置を変更したり、各糊付けローラ４５の幅方向における糊付け位置を変更したり、ウェブパス装置１４の幅方向における搬送位置を変更したりすることで、図４に示すウェブＷの特殊折りの形態以外の特殊折りを実現することができる。例えば、第２スリッタ４０により裁断されたウェブＷの幅をＦ幅以下となる所定の幅に形成し、ウェブパス装置１４により未裁断ウェブＷの片面の中央に、裁断されたウェブＷをそれぞれ配置することで、片面の中央に見開き頁を作成することが可能となる。また、一対の糊付けローラ４５により糊付けされるウェブＷの糊付け位置を、ウェブＷの幅方向片側と幅方向中央部とにすることで、袋閉じの頁を作成することも可能となる。
【００６７】
また、本実施例では、糊付け装置４１を糊付けローラ４５とグルーガン４６とで構成したが、糊付けローラ４５の構成を省くと共に、グルーガン４６によりウェブＷに対し直接糊を吐出しても良い。
【産業上の利用可能性】
【００６８】
以上のように、本発明に係るウェブの特殊折り装置、輪転印刷機およびウェブの特殊折り方法は、折帖の付加価値を高める場合に有用であり、特に、新聞用オフセット輪転印刷機に適している。
【符号の説明】
【００６９】
１      輪転印刷機
１１    給紙装置
１２    インフィード装置
１３ａ，１３ｂ  印刷装置
１４    ウェブパス装置
１５    折機
１６    特殊折り装置
２０    保持アーム
２５    インフィードローラ
２５    第１スリッタ
２６    ターンバー
２７    コンペンセータローラ
３０    第１ガイドローラ
３１    第２ガイドローラ
３２    第１紙押さえローラ
３３    第２紙押さえローラ
３４    三角板
３６    第１折上ドラグローラ
３７    第２折上ドラグローラ
４０    第２スリッタ
４１    糊付け装置
４２    逆クラウンローラ
４５    糊付けローラ
４６    グルーガン
５０    糊代
Ｒ      巻取紙
Ｗ      ウェブ
Ｌ１    非裁断搬送経路
Ｌ２    裁断搬送経路
【図１】
2010241521.tif 000003
【図２】
2010241521.tif 000004
【図３】
2010241521.tif 000005
【図４】
2010241521.tif 000006